(57)【要約】【課題】ユーザがカラオケ楽曲を歌唱できる時間を投稿動画の検索等に費やさせずに、投稿動画をユーザに効率よく紹介する。【解決手段】動画再生装置１は、カラオケ装置２で演奏される楽曲について、歌唱がない演奏部分に対応する非歌唱時間帯を示す時間情報を取得する。また、記憶部１１に記憶されている複数の投稿動画の中から、所定の動画抽出条件に適合する投稿動画を再生対象として選択する。そして、演奏される楽曲の非歌唱時間帯に再生対象の投稿動画をするための再生時間長と再生タイミングとを定めた再生時間割を決定する。つぎに、動画再生装置１は、カラオケ装置２により楽曲の非歌唱時間帯が演奏されるときに、決定した再生時間割に従って再生対象の投稿動画を再生する。【選択図】図１
2014215305.tif 000002
【特許請求の範囲】
【請求項１】
カラオケ装置により演奏される楽曲について、歌唱がない演奏部分に対応する非歌唱時間長を含む非歌唱時間帯を示す時間情報を取得する取得手段と、
歌唱者を記録した動画として投稿された投稿動画を記憶する記憶手段に記憶されている複数の投稿動画の中から、所定の選択基準を満たす投稿動画を再生対象として選択する選択手段と、
前記取得手段により取得された時間情報で示される非歌唱時間長で、前記選択手段により選択された各再生対象の投稿動画を再生させる前記各投稿動画の再生時間長と再生タイミングとを定めた再生時間割を決定する決定手段と、
前記カラオケ装置により前記楽曲の非歌唱時間帯が演奏されるときに、前記決定手段により決定された再生時間割に従って前記再生対象の投稿動画を再生する再生手段と、
を備えることを特徴とする動画再生装置。
【請求項２】
請求項１に記載の動画再生装置において、
前記決定手段は、各再生対象の投稿動画について、所定の最短再生時間を満たす再生時間長を決定すること、
を特徴とする動画再生装置。
【請求項３】
請求項２に記載の動画再生装置において、
前記決定手段は、所定の最短再生時間を満たす再生時間長を決定した各投稿動画を、前記非歌唱時間長に対して再生を許容する数を決定し、決定した数の投稿動画の再生タイミングを決定すること、
を特徴とする動画再生装置。
【請求項４】
請求項１ないし請求項３の何れか１項に記載の動画再生装置において、
前記記憶手段に記憶されている各投稿動画の再生の優先度を示す情報を記憶する優先度記憶手段を備え、
前記決定手段は、再生対象の投稿動画のうち、優先度が高い投稿動画の再生時間長を優先度の低い投稿動画の再生時間長よりも長く決定すること、
を特徴とする動画再生装置。
【請求項５】
請求項１ないし請求項４の何れか１項に記載の動画再生装置において、
前記記憶手段に記憶されている各投稿動画に対応付けられた属性を示す属性情報を記憶する属性記憶手段と、
再生対象の選択基準として適用する属性を決定する基準決定手段とを備え、
前記選択手段は、前記属性記憶手段に記憶されている各投稿動画の属性と、前記基準決定手段により決定された選択基準の属性とが適合することを条件に、再生対象の投稿動画を選択すること、
を特徴とする動画再生装置。
【請求項６】
請求項５に記載の動画再生装置において、
前記カラオケ装置が演奏する楽曲の属性を示す演奏曲情報を取得する演奏情報取得手段を備え、
前記属性記憶手段に記憶されている属性情報には、各投稿動画において歌唱された楽曲に関する属性が含まれており、
前記基準決定手段は、前記演奏情報取得手段によって取得された演奏曲情報で示される属性を選択基準として決定すること、
を特徴とする動画再生装置。
【請求項７】
請求項５又は請求項６に記載の動画再生装置において、
前記カラオケ装置が演奏する楽曲をリクエストしたユーザが過去に利用したコンテンツの属性を示す履歴情報を取得する履歴取得手段を備え、
前記属性記憶手段に記憶されている属性情報には、各投稿動画において歌唱された楽曲に関する属性又は歌唱者に関する属性の少なくとも何れかが含まれており、
前記基準決定手段は、前記履歴取得手段により取得された履歴情報で示される属性を選択基準として決定すること、
を特徴とする動画再生装置。
【請求項８】
請求項５ないし請求項７の何れか１に記載の動画再生装置において、
前記属性記憶手段に記憶されている属性情報には、投稿動画の再生に合わせて歌唱を行う共同歌唱をした歌唱者が記録された投稿動画であるか否かを示す属性、又は、投稿動画が共同歌唱に利用されることを前記投稿動画の歌唱者が希望しているか否かを示す属性が含まれており、
前記基準決定手段は、共同歌唱をした歌唱者が記録された投稿動画であること、又は、投稿動画が共同歌唱に利用されることを前記投稿動画の歌唱者が希望していることを選択基準として決定すること、
を特徴とする動画再生装置。
【請求項９】
請求項５ないし請求項８の何れか１項に記載の動画再生装置において、
前記属性記憶手段に記憶されている属性情報には、各投稿動画に対する評価を示す属性が含まれており、
前記基準決定手段は、投稿動画に対する評価が所定の基準を満たすことを選択基準に決定すること、
を特徴とする動画再生装置。
【請求項１０】
カラオケ装置により演奏される楽曲について、歌唱がない演奏部分に対応する非歌唱時間長を含む非歌唱時間帯を示す時間情報を取得する取得ステップと、
歌唱者を記録した動画として投稿された投稿動画を記憶する記憶手段に記憶されている複数の投稿動画の中から、所定の選択基準を満たす投稿動画を再生対象として選択する選択ステップと、
前記取得ステップにおいて取得された時間情報で示される非歌唱時間長で、前記選択ステップにおいて選択された各再生対象の投稿動画を再生させる前記各投稿動画の再生時間長と再生タイミングとを定めた再生時間割を決定する決定ステップと、
前記カラオケ装置により前記楽曲の非歌唱時間帯が演奏されるときに、前記決定ステップにおいて決定された再生時間割に従って前記再生対象の投稿動画を再生する再生ステップと、
をコンピュータに実行させるプログラム。
【発明の詳細な説明】
【技術分野】
【０００１】
本発明は、歌唱者を記録した動画として投稿された投稿動画を、カラオケ装置を利用するユーザに提示する動画再生装置に関する。
【背景技術】
【０００２】
カラオケサービスにおいて提供される機能の一つとして、歌唱するユーザの映像及び音声を記録した動画を公開可能なコンテンツとして投稿し、投稿された動画を他のユーザが視聴できる動画投稿機能が実用化されている。この動画投稿機能では、投稿動画の再利用を投稿者が許可した場合、その投稿動画の再生に合わせて他のユーザが一緒に歌唱を行う共同歌唱（以下、コラボレーションともいう）が可能な機能も備えられている。このような動画投稿機能において、投稿動画の視聴やコラボレーションを希望するユーザは、所望の投稿動画を探し出して選ぶという手続きが必要である。
【０００３】
特許文献１には、投稿された動画のサムネイル画像がカラオケ装置の遠隔操作端末等に表示され、ユーザが所望の動画のサムネイル画像を指定することで、動画が選択される技術が開示されている。
【先行技術文献】
【特許文献】
【０００４】
【特許文献１】特開２０１１−５９６１９号公報
【発明の概要】
【発明が解決しようとする課題】
【０００５】
上述の先行技術のように、サムネイル画像から視聴する投稿動画を選択させる仕組のカラオケ装置では、ユーザは、投稿動画が実際に再生されるまで内容を確認することができない。そこで、ユーザが視聴やコラボレーションに利用する投稿動画を選択するための判断材料とするために、カラオケ装置が候補の投稿動画の一部を再生させることで、ユーザが投稿動画の内容を確認することが考えられる。
【０００６】
しかしながら、ユーザは、カラオケを歌唱している最中に、投稿動画の内容を確認する作業を行うことはできない。また、カラオケサービスを利用しているときに、候補の投稿動画を検索したり、内容を確認するために再生させたりしていると、本来なら歌唱できるはずの時間を検索や投稿動画の内容確認に費やさなければならない。また、投稿動画の利用を促進してカラオケサービスを活性化するために、投稿動画に対する認知度が低いユーザに対して、投稿動画の存在を訴求する仕組みが求められる。
【０００７】
本発明は上記問題を解決するためになされたものである。その目的は、カラオケサービスにおいてユーザが歌唱できる時間を、投稿動画の検索等に費やさせずに、投稿動画をユーザに効率よく紹介するための技術を提供することである。
【課題を解決するための手段】
【０００８】
本発明の動画再生装置は、カラオケ装置を利用するユーザに動画を提示するものであって、取得手段と、選択手段と、決定手段と、再生手段とを備える。取得手段は、カラオケ装置により演奏される楽曲について、歌唱がない演奏部分に対応する非歌唱時間長を含む非歌唱時間帯を示す時間情報を取得する。選択手段は、歌唱者を記録した動画として投稿された投稿動画を記憶する記憶手段に記憶されている複数の投稿動画の中から、所定の選択基準を満たす投稿動画を再生対象として選択する。決定手段は、取得手段により取得された時間情報で示される非歌唱時間長で、選択手段により選択された各再生対象の投稿動画を再生させる各投稿動画の再生時間長と再生タイミングとを定めた再生時間割を決定する。再生手段は、カラオケ装置により楽曲の非歌唱時間帯が演奏されるときに、決定手段により決定された再生時間割に従って再生対象の投稿動画を再生する。
【０００９】
本発明によれば、カラオケ装置により演奏される楽曲の非歌唱時間帯を利用して、カラオケ装置を利用するユーザに投稿動画を提示できる。このように、歌唱しない合間を利用して投稿動画を提示することで、歌唱しないユーザが投稿動画の内容を無理なく確認できるうえ、投稿動画の確認のために歌唱するための時間を費やさせることもない。そのため、投稿動画の内容を効率よくユーザに紹介でき、投稿動画の利用を促進できる。
【００１０】
なお、投稿動画を再生できる期間は楽曲の非歌唱時間帯に限られているため、その期間になるべく多くの投稿動画を再生しようとした場合、１つの投稿動画に割当てる再生時間を短くすることが考えられる。しかしながら、再生時間があまりに短いと、ユーザが投稿動画の内容を把握することが難しくなるおそれがある。そこで、請求項２に記載のように、各再生対象の投稿動画について、所定の最短再生時間を満たす再生時間長を決定するように構成するとよい。このようにすることで、ユーザが投稿動画の内容を把握できる最低限の再生時間を満たす再生時間割を決定できる。
【００１１】
また、請求項３に記載のように、所定の最短再生時間を満たす再生時間長を決定した各投稿動画を、非歌唱時間長に対して再生を許容する数を決定し、決定した数の投稿動画の再生タイミングを決定するように構成するとよい。このようにすることで、例えば、一区切りの非歌唱時間帯に収まる数量の投稿動画を再生できるように再生時間割を決定するといった運用が可能である。
【００１２】
さらに、投稿動画に対応付けられた優先度に基づいて、再生時間の長短を決定してもよい。具体的には、請求項４に記載のように、記憶手段に記憶されている各投稿動画の再生の優先度を示す情報を記憶する優先度記憶手段を備えるものとする。そして、決定手段は、再生対象の投稿動画のうち、優先度が高い投稿動画の再生時間長を優先度の低い投稿動画の再生時間長よりも長く決定する。このようにすることで、例えば、何らかの特典を受けた投稿者による投稿動画の再生時間長を優先的に長く設定するといった、柔軟な態様で投稿動画の再生時間長を決定できる。
【００１３】
ところで、カラオケ装置を利用するユーザに提示する投稿動画として、何らかの基準においてユーザのニーズに適合する投稿動画を選ぶことで、投稿動画に対するユーザの興味をより効果的に喚起できると考えられる。そこで、請求項５に記載のように構成するとよい。すなわち、記憶手段に記憶されている各投稿動画に対応付けられた属性を示す属性情報を記憶する属性記憶手段と、再生対象の選択基準として適用する属性を決定する基準決定手段とを備えるものとする。そして、選択手段は、属性記憶手段に記憶されている各投稿動画の属性と、基準決定手段により決定された選択基準の属性とが適合することを条件に、再生対象の投稿動画を選択する。なお、投稿動画に対応付けられる属性、及び選択基準として適用される属性としては、以下のものが挙げられる。
【００１４】
（１）カラオケ装置が演奏する楽曲に関連する投稿動画を再生対象として選択する。具体的には、請求項６に記載のように、カラオケ装置が演奏する楽曲の属性を示す演奏曲情報を取得する演奏情報取得手段を更に備えるものとする。また、属性記憶手段に記憶されている属性情報には、各投稿動画において歌唱された楽曲に関する属性が含まれているものとする。そして、基準決定手段は、演奏情報取得手段によって取得された演奏曲情報で示される属性を選択基準として決定する。ユーザにとって、今演奏されている楽曲の属性（例えば、曲名、アーティスト、ジャンル等）に合った投稿動画が提示されるので、提示された投稿動画に対してユーザが興味を持ちやすい。
【００１５】
（２）ユーザが過去に利用したコンテンツ（楽曲、投稿動画等）の履歴に関連する投稿動画を再生対象として選択する。具体的には、請求項７に記載のように、カラオケ装置が演奏する楽曲をリクエストしたユーザが過去に利用したコンテンツの属性を示す履歴情報を取得する履歴取得手段を備えるものとする。また、属性記憶手段に記憶されている属性情報には、各投稿動画において歌唱された楽曲に関する属性又は歌唱者に関する属性の少なくとも何れかが含まれているものとする。そして、基準決定手段は、履歴取得手段により取得された履歴情報で示される属性を選択基準として決定する。ユーザにとって、過去に歌唱や視聴したしたことのある楽曲や投稿動画の属性（例えば、曲名、アーティスト、ジャンル、歌唱者等）に合った投稿動画が提示されるので、提示された投稿動画に対してユーザが興味を持ちやすい。
【００１６】
（３）投稿動画を用いる共同歌唱（コラボレーション）に関連する投稿動画を再生対象として選択する。具体的には、請求項８に記載のように、属性記憶手段に記憶されている属性情報には、各投稿動画の再生に合わせて歌唱を行う共同歌唱をした歌唱者が記録された投稿動画であるか否かを示す属性、又は、投稿動画が共同歌唱に利用されることを投稿動画の歌唱者が希望しているか否かを示す属性が含まれているものとする。そして、基準決定手段は、共同歌唱をした歌唱者が記録された投稿動画であること、又は、投稿動画が共同歌唱に利用されることを投稿動画の歌唱者が希望していることを選択基準として決定する。このようにすることで、ユーザが希望するコラボレーションの適用条件に合った投稿動画を提示することが可能になり、提示された投稿動画に対してユーザが興味を持ちやすい。
【００１７】
（４）投稿動画に対する評価を基準にして再生対象を選択する。具体的には、請求項９に記載のように、属性記憶手段に記憶されている属性情報には、各投稿動画に対する評価を示す属性が含まれているものとする。そして、基準決定手段は、投稿動画に対する評価が所定の基準を満たすことを選択基準に決定する。各投稿動画には、例えば、歌唱の採点結果や、視聴者からの人気度、サービス運営者からのおすすめ等の評価内容を属性として対応付けておくことが考えられる。それにより、高評価の投稿動画を視聴したいといった、ユーザが希望する条件に合った投稿動画を提示することが可能になり、提示された投稿動画に対してユーザが興味を持ちやすい。
【００１８】
なお、本発明は、請求項１０に記載のように、コンピュータにおいて実行されるプログラム、あるいは当該プログラムを記憶する記憶媒体の態様で実現することもできる。
【図面の簡単な説明】
【００１９】
【図１】カラオケシステムの概略構成を示すブロック図。
【図２】動画再生装置のメイン処理の手順を示すフローチャート。
【図３】投稿動画リストの一例。
【図４】（ａ）予約リストの一例、（ｂ）動画抽出条件の一例、（ｃ）非歌唱時間の合計時間長の算出例。
【図５】再生時間割決定処理の手順を示すフローチャート。
【図６】（ａ）抽出された投稿動画の一例、（ｂ）決定された再生時間長の一例。
【図７】（ａ）投稿動画の再生時間割の一例、（ｂ）タイムチャートの一例。
【図８】抽出処理の手順を示すフローチャート。
【発明を実施するための形態】
【００２０】
以下、本発明の一実施形態を図面に基づいて説明する。なお、本発明は下記の実施形態に限定されるものではなく様々な態様にて実施することが可能である。
［カラオケシステムの構成の説明］
実施形態のカラオケシステムは、図１に示すように、カラオケ店舗の各カラオケルーム内に配置された動画再生装置１、カラオケ装置２、及びリモコン端末３と、広域ネットワークに接続されたセンタサーバ４とを含んで構成される。なお、図１では、カラオケ店舗内に複数設けられたカラオケルームのうちの１室を例に挙げたものである。また、広域ネットワークには複数のカラオケ店舗が接続されているものとする。
【００２１】
動画再生装置１及びカラオケ装置２は、カラオケ店舗内のＬＡＮに設けられたブロードバンドルータＢＲを中継して広域ネットワークに接続する。また、リモコン端末３は、無線ＬＡＮのインフラストラクチャモードにより無線ＬＡＮアクセスポイントＡＰを中継して、カラオケ店舗内のＬＡＮにネットワーク接続し、更にブロードバンドルータＢＲを中継して広域ネットワークに接続する。
【００２２】
カラオケ店舗内のカラオケルームには、動画再生装置１、カラオケ装置２、リモコン端末３、メインディスプレイ２１、サブディスプレイ１５が設置されている。メインディスプレイ２１は、カラオケ装置２に接続されている。メインディスプレイ２１には、カラオケ装置２から出力されるカラオケサービス用の映像が表示される。一方、サブディスプレイ１５は、動画再生装置１に接続されている。サブディスプレイ１５には、カラオケルーム内でカラオケ装置２を利用するユーザに向けた投稿動画の紹介映像等が表示される。
【００２３】
カラオケ装置２は、カラオケサービスを提供する業務用の装置である。カラオケサービスで提供される機能には、例えば、ユーザからリクエストされたカラオケ曲を演奏する機能や、センタサーバ４にアップロードされた投稿動画を取得して再生する機能がある。さらに、カラオケサービスには、カラオケ装置２で演奏される楽曲を歌唱する歌唱ユーザを撮像し、撮像した動画を投稿動画としてセンタサーバ４にアップロードすることで、他のユーザが投稿動画を利用できるようにする投稿動画機能が含まれる。この投稿動画機能では、投稿動画について再利用が許可されていた場合、その投稿動画の再生に合わせて一緒に歌唱を行うコラボレーションが可能となっている。
【００２４】
カラオケ装置２は、店舗内ＬＡＮや広域ネットワークを介して、動画再生装置１やリモコン端末３、センタサーバ４との間でデータ通信可能に構成されている。カラオケ装置２は、ユーザからリクエストされた楽曲を演奏するのに併せて、背景映像や曲の歌詞テロップをメインディスプレイ２１に表示させる。また、カラオケ装置２は、本システムの利用アカウントを有する利用客が所定の手続きを経てログインすることにより、カラオケ曲の演奏や投稿動画機能等のサービスの利用を、ログインした利用客である個々のログインユーザの識別情報に対応付けて行う。なお、カラオケ装置２のその他の機能や構成については公知技術に従っているので、ここでの詳細な説明は省略する。
【００２５】
リモコン端末３は、カラオケルーム内でカラオケ装置２を遠隔操作するための通信端末装置である。リモコン端末３は、本システムの利用アカウントを有するユーザからの所定のログイン操作を受付ける。ログイン操作を受付けると、リモコン端末３は、操作対象のカラオケ装置２にログイン要求を送信し、カラオケ装置２からログインの成否の結果を受信する。ユーザのログインが成立すると、リモコン端末３は、ログインユーザが再生を希望する楽曲や投稿動画の予約、及び投稿動画の撮像要求を行うためのリクエスト操作を、当該ログインユーザの識別情報に対応付けて受付ける。そして、リクエストする楽曲や投稿動画の識別情報、撮像要求、及びリクエストしたユーザの識別情報（ユーザ名）等を含むリクエスト情報を、無線ＬＡＮ通信や赤外線通信によって操作対象のカラオケ装置２に送信する。
【００２６】
動画再生装置１は、センタサーバ４から配信されたコンテンツの映像を再生する業務用の情報処理装置であり、例えばパソコン等のコンピュータ装置によって具現化される。本実施形態では、再生されるコンテンツとして、センタサーバ４に投稿された投稿動画をカラオケサービスのユーザに対して紹介するための、投稿動画のダイジェストを想定している。投稿動画のダイジェストは、投稿動画の任意の一部を再生する映像である。投稿動画のダイジェストの他に、カラオケサービスのユーザに対して様々な商品やサービスを宣伝するための映像情報である一般広告映像や、風景を描写した風景映像等も再生できるようになっている。
【００２７】
動画再生装置１は、ハードウェア構成として制御部１０、記憶部１１、通信部１２、映像制御部１３等を備える。制御部１０は、ＣＰＵ、ＲＯＭ、ＲＡＭ、Ｉ／Ｏ等を中心に構成された情報処理デバイスであり、映像の再生に関する処理を実行する。通信部１２は、カラオケ店舗内のＬＡＮに接続して、カラオケ装置２やセンタサーバ４と通信を行うための通信インタフェースである。記憶部１１は、ハードディスクドライブや不揮発性半導体メモリ等で構成された記憶装置である。記憶部１１には、その一部としてプログラム記憶領域、コンテンツ記憶領域が設けられている。コンテンツ記憶領域には、センタサーバ４から配信された投稿動画及び投稿動画リスト、一般広告映像、風景映像等のコンテンツが格納されている。
【００２８】
制御部１０は、カラオケ装置２を利用しているログインユーザが指定した動画抽出条件に基づいて抽出した投稿動画を、カラオケ装置２において演奏される楽曲の歌唱がない演奏部分に対応する非歌唱時間帯に再生するための再生時間割を決定する。そして、決定した再生時間割に従って記憶部１１に保存されている各投稿動画の一部の映像を再生する。これらの一連の処理の詳細な内容については後述する。再生された動画の映像信号は、映像制御部１３を介してサブディスプレイ１５に出力され、映像が表示される。サブディスプレイ１５は、例えば液晶パネルディスプレイ（ＬＣＤ）によって具現化される。
【００２９】
センタサーバ４は、カラオケ店舗内の動画再生装置１に投稿動画及び投稿動画リストのデータを配信するサーバ装置である。このセンタサーバ４は、適宜な処理能力を有する情報処理装置で構成されている。センタサーバ４は、カラオケ装置２からアップロードされる投稿動画や、本システムの利用アカウントを有するユーザによるカラオケサービスの利用履歴を保存する。また、センタサーバ４は、カラオケ装置２からアップロードされた投稿動画に関する投稿動画リスト（詳細は後述する）を作成する。そして、保有している投稿動画と作成した投稿動画リストとを、動画再生装置１に配信する。
【００３０】
［動画再生装置１が実行する処理の説明］
動画再生装置１の制御部１０が実行するメイン処理の手順について、図２のフローチャートを参照しながら説明する。この処理は、動画再生装置１の稼動中において繰返し実行される。
【００３１】
Ｓ１００では、制御部１０は、発生したイベントの状況に応じて処理を分岐する。Ｓ１００において、投稿動画の更新を行う場合（Ｓ１００：動画更新）、制御部１０はＳ１０２に進む。なお、投稿動画の更新は、定期的に行うか、あるいはセンタサーバ４から更新の通知を受けたときに行うようにすることが考えられる。Ｓ１０２では、制御部１０は、センタサーバ４から投稿動画リストを取得し、記憶部１１に保存する。センタサーバ４は、動画再生装置１からの取得要求に応じて、保有している投稿動画リスト（図３参照）を、要求元の動画再生装置１に送信する。次のＳ１０４では、制御部１０は、Ｓ１０２で取得した投稿動画リストに対応付けられている投稿動画をセンタサーバ４から取得し、記憶部１１に保存してＳ１００に戻る。
【００３２】
ここで、Ｓ１０２で取得される投稿動画リストの詳細について、図３を参照しながら説明する。図３に例示されるとおり、投稿動画リストには、「ユーザ名」、「アーティスト」、「曲番号」、「動画番号」、「優先度」、「投稿時期」、「コラボ動画」、「コラボ希望」、「高得点」、「お勧め」、「人気」等の属性情報の項目からなるレコードが投稿動画ごとに記述されている。なお、図３は、ユーザ１〜９の９人のユーザにより投稿された投稿動画（動画番号１１１１１〜９９９９９）が、投稿動画リストに登録されている事例を示している。
【００３３】
「ユーザ名」は、投稿動画に対応付けられた歌唱者の識別情報である。「アーティスト」は、投稿動画において歌唱された楽曲のオリジナルの歌唱者であるアーティストの識別情報である。「曲番号」は、投稿動画において歌唱された楽曲を識別する識別情報である。「動画番号」は、投稿動画を識別する識別情報である。「優先度」は、動画再生装置１において投稿動画が再生されるときの再生時間長や再生順を決定するときの優先度を示す情報である。この優先度は、例えば、ユーザがカラオケサービスに対して支払った対価に応じた特典として、ユーザに対応付けて付与される。本実施形態では、高い優先度が付与されたユーザによって投稿された投稿動画は、優先度が「高」に設定されるようになっている。また、優先度が高いユーザ以外のユーザによって投稿された投稿動画は、優先度「低」に設定されるようになっている。「投稿時期」は、投稿動画がセンタサーバ４にアップロードされた時期を示す情報である。
【００３４】
「コラボ動画」は、他の投稿動画の再生に合わせて一緒に歌唱を行うコラボレーションをした歌唱者が撮像された投稿動画であるか否かを示す情報項目である。図３に示す事例では、コラボレーションが行われた投稿動画の「コラボ動画」の欄に丸印が記録されている。「コラボ希望」は、投稿動画を再利用して行われるコラボレーションを許可するか否かについて、投稿動画の歌唱者が希望した内容を示す情報項目である。図３に示す事例では、歌唱者によってコラボレーションが許可されている投稿動画の「コラボ希望」の欄に丸印が記録されている。
【００３５】
「高得点」は、投稿動画に記録された歌唱がカラオケ装置２で提供される歌唱採点機能により採点されたときの得点が、所定の基準点以上であるか否かを示す情報項目である。図３に示す事例では、採点結果が基準点以上の投稿動画における「高得点」の欄に丸印が記録されている。「お勧め」は、カラオケサービスの運営者から推薦された投稿動画であるか否かを示す情報項目である。例えば、キャンペーン期間中の特定の楽曲が歌唱された投稿動画や、カラオケサービスにおいて提供される所定の特典が付与されたユーザが歌唱した投稿動画がお勧めの対象となる。図３に示す事例では、お勧めの条件に該当する投稿動画の「お勧め」の欄に丸印が記録されている。「人気」は、カラオケサービスで提供される投稿動画に対する人気投票機能において、ユーザから所定の基準以上の票を得られたか否かを示す情報項目である。図３に示す事例では、人気投票機能において基準以上の票を得られた投稿動画の「人気」の欄に丸印が記録されている。
【００３６】
センタサーバ４は、投稿動画がアップロードされたときに、投稿動画に付随してアップロードされた属性情報（ユーザ名、アーティスト、曲番号、優先度、コラボ動画、コラボ希望、採点結果等）を、動画番号に対応付けて投稿動画リストに登録する。また、ユーザによる投稿動画の人気投票の結果や、お勧めの有無といった投稿動画の評価に関する属性情報がセンタサーバ４に入力されることで、センタサーバ４が、人気やお勧めの属性情報を投稿動画リストに記録する。
【００３７】
図２のフローチャートの説明に戻る。Ｓ１００において、予約リストの更新を行う場合（Ｓ１００：リスト更新）、制御部１０はＳ１０６に進む。予約リストの更新は、定期的（例えば１分ごと）に行うようにすることが考えられる。あるいは、カラオケ装置２において予約リストの更新が行われたときに、カラオケ装置２から通知（予約リスト自体が送信されてもよい）を受信して、予約リストの更新を行うようにしてもよい。あるいは、楽曲の非歌唱時間帯の演奏が始まることを通知する非歌唱状態通知をカラオケ装置２から受信したときに、予約リストの更新を行うようにしてもよい。Ｓ１０６では、制御部１０は、カラオケ装置２における楽曲の演奏の予約状況を示す予約リスト（図４（ａ）参照）を取得する。カラオケ装置２は、動画再生装置１からの取得要求に応じて、ログインユーザからのリクエストに基づいて演奏の予約をしている楽曲と、その楽曲の非歌唱時間帯とを示す情報の一覧を、予約リストとして要求元の動画再生装置１に送信する。
【００３８】
図４（ａ）に例示されるとおり、予約リストには、予約順、曲番号、及びリクエストしたログインユーザのユーザ名等の情報が含まれる。また、予約リストには、予約された楽曲ついて、歌唱がない演奏部分に対応する非歌唱時間長を示す情報が含まれる。図４（ａ）に示される事例では、歌唱がない前奏、間奏、及び後奏の各演奏部分に対応する非歌唱時間長として、前奏時間長が２０秒、間奏時間長が３０秒、後奏時間長が１０秒と予約リストに記述されている。
【００３９】
図２のフローチャートの説明に戻る。次のＳ１０８では、制御部１０は、再生対象の投稿動画を抽出する基準である動画抽出条件を取得する。具体的には、Ｓ１０６で取得した予約リストに示される楽曲をリクエストしたログインユーザに対応する動画抽出条件を、カラオケ装置２に対して問合せる。カラオケ装置２は、ログインユーザによって予め指定されている動画抽出条件（図４（ｂ）参照）を動画再生装置１に送信する。なお、本実施形態では、ログインユーザが所望する動画抽出条件をリモコン端末３を介してカラオケ装置２に送信するようになっている。また、ユーザが指定できる動画抽出条件として、本実施形態では、「演奏曲関連動画モード」、「利用履歴関連動画モード」、「コラボ動画モード」、「コラボ希望動画モード」、「高得点動画モード」、「高人気動画モード」、「お勧め動画モード」の何れかから選択できるようになっている。
【００４０】
「演奏曲関連動画モード」は、カラオケ装置２で演奏される楽曲に関連する投稿動画を抽出するモードである。「利用履歴関連動画モード」は、ユーザが過去に利用した楽曲や投稿動画に関連する投稿動画を抽出するモードである。「コラボ動画モード」は、コラボレーションによって制作された投稿動画を抽出するモードである。「コラボ希望動画モード」は、コラボレーションに再利用されることを許可されている投稿動画を抽出するモードである。「高得点動画モード」は、歌唱採点機能において高得点を獲得した投稿動画を抽出するモードである。「高人気動画モード」は、ユーザからの人気の高い投稿動画を抽出するモードである。「お勧め動画モード」は、運営者からのお勧めの投稿動画を抽出するモードである。なお、図４（ｂ）は、動画抽出条件として「演奏曲関連動画モード」が指定されている事例を示している。制御部１０は、カラオケ装置２から受信した動画抽出条件をメモリに記憶する。
【００４１】
次のＳ１１０では、制御部１０は、Ｓ１０６で取得した予約リストに示される楽曲の中から、投稿動画の再生時間割を決定していない１つの楽曲を対象楽曲として特定し、特定した対象楽曲の各非歌唱時間帯の時間長を示す情報を予約リストから取得する。また、制御部１０は、取得した各非歌唱時間帯の時間長を合算し、非歌唱時間の合計時間長を算出する。図４（ｃ）に例示されるとおり、図４（ａ）の予約リストに記述された楽曲（曲番号ＪＪＪ）における前奏、間奏及び後奏の各区間に対応する非歌唱時間長を合計すると、６０秒である。次のＳ１１２では、制御部１０は、対象楽曲に対応する投稿動画の再生時間割を決定する再生時間割決定処理を実行する。以下、再生時間割決定処理の手順について、図５のフローチャートを参照しながら説明する。
【００４２】
Ｓ２００では、制御部１０は、Ｓ１０８で取得した動画抽出条件のうち、対象楽曲をリクエストしたログインユーザに対応する動画抽出条件に適合する投稿動画を、再生対象の投稿動画として投稿動画リスト（図３参照）から抽出する抽出処理を実行する。抽出処理の詳細な手順については後述する。
【００４３】
図３に例示される投稿動画リストの中から、抽出処理によって抽出された投稿動画の一例を図６（ａ）に示す。ここでは、図４（ａ）に例示される予約リストに記述されている曲番号ＪＪＪを対象楽曲とし、動画抽出条件として、これから演奏される楽曲に関連する投稿動画を抽出する「演奏曲関連動画モード」が指定されていると想定する。図６（ａ）に例示されるとおり、図３の投稿動画リストの中から、演奏される対象楽曲（曲番号ＪＪＪ）と同一の曲番号が対応付けられている動画番号１１１１１，３３３３３，５５５５５〜９９９９９の７つの投稿動画が抽出されている。また、優先度が「高」に設定されている動画番号３３３３３，５５５５５の２つの投稿動画が、優先度が「低」の投稿動画よりも再生順が上位になるように再生順が決定される。また、優先度が同じ投稿動画の中では、投稿時期が早い投稿動画ほど再生順が上位になるように再生順が決定される。
【００４４】
図５のフローチャートの説明に戻る。Ｓ２０２では、制御部１０は、Ｓ２００で抽出された再生対象の投稿動画の中に優先度が「高」の投稿動画が存在するか否かを判定する。再生対象の投稿動画の中に優先度が「高」の投稿動画が存在する場合（Ｓ２０２：ＹＥＳ）、制御部１０はＳ２０４に進む。一方、再生対象の投稿動画の中に優先度が「高」の投稿動画が存在しない場合（Ｓ２０２：ＮＯ）、制御部１０はＳ２０８に進む。
【００４５】
優先度が「高」の投稿動画が存在する場合に進むＳ２０４では、制御部１０は、再生対象の投稿動画のうち、優先度が「高」の各投稿動画について、それぞれの再生時間長を所定の優先時間長に決定する。この優先時間長は、優先度が「低」の投稿動画１つあたりの再生時間長よりも長いものとする。本実施形態では、優先時間長の一例として、優先度が「高」の各投稿動画に対してそれぞれ２０秒の再生時間長を一律に割当てるものとする。あるいは、変形例として、非歌唱時間の合計時間長に対する割合で優先時間長を決定してもよい。例えば、優先度が「高」の投稿動画が２つあるときに、非歌唱時間の合計時間長の３５％に相当する時間長を、優先度が「高」の各投稿動画にそれぞれ付与し、残りの３０％に相当する時間長を優先度が「低」の各投稿動画で分け合うといった決定方法が考えられる。あるいは、優先度が「高」の投稿動画の再生時間長を、優先度が「低」の投稿動画の再生時間長の１．５倍になるように優先時間長を決定するといった決定方法が考えられる。
【００４６】
次のＳ２０６では、制御部１０は、非歌唱時間の合計時間長から、優先度が「高」の各投稿動画に対して決定した優先時間長の合計を差引いて、未配分の非歌唱時間長を算出する。例えば、非歌唱時間の合計時間長が６０秒で、優先度が「高」の各投稿動画に対して決定した優先時間長の合計が４０秒である場合、差分の２０秒が未配分の非歌唱時間長に相当する。Ｓ２０８では、制御部１０は、再生対象の投稿動画に対して未配分の非歌唱時間長を、再生時間長がまだ決定されていない再生対象の投稿動画の数で割り、１動画あたりの再生時間長を算出する。そして、Ｓ２１０では、制御部１０は、Ｓ２０８で算出した１動画あたりの再生時間長が、予め決められた最短再生時間長以上であるか否かを判定する。１動画あたりの再生時間長が最短再生時間長以上である場合（Ｓ２１０：ＹＥＳ）、制御部１０はＳ２１２に進む。Ｓ２１２では、制御部１０は、Ｓ２０８で算出した１動画あたりの再生時間長を、再生時間長が決定されていない再生対象の各投稿動画に対応する再生時間長に決定する。一方、１動画あたりの再生時間長が最短再生時間長未満である場合（Ｓ２１０：ＮＯ）、制御部１０はＳ２１４に進む。Ｓ２１４では、制御部１０は、規定の最短再生時間長を、再生時間長が決定されていない再生対象の各投稿動画に対応する再生時間長に決定する。なお、最短再生時間長は、例えば、再生された投稿動画を見るユーザが最低限の内容を把握できる程度の時間とすることが考えられる。本実施形態では、最短再生時間長を５秒と規定している。
【００４７】
図６（ａ）に例示される再生対象の各投稿動画に対して、再生時間長を決定した結果を図６（ｂ）に例示する。図６（ｂ）に例示されるとおり、優先度が「高」の投稿動画３３３３３，５５５５５の２つについて、それぞれ２０秒ずつの優先時間長が割当てられている。非歌唱時間の合計時間長が６０秒である場合、６０秒から優先時間長として割当てた４０秒を差引いた残りの非歌唱時間長は２０秒である。残りの非歌唱時間長である２０秒を、優先度が「低」の５つ投稿動画に対して均等に分配すると、１動画あたり４秒の再生時間長となる。このとき、１動画あたりの再生時間長が、規定の最短再生時間長である５秒に満たない。１動画あたりの再生時間長が最短再生時間長に満たない場合に対する措置として、図６（ｂ）に例示されるとおり、優先度が「低」の各投稿動画の再生時間長が、４秒から最短再生時間長の５秒に補正されている。
【００４８】
図５のフローチャートの説明に戻る。Ｓ２１６では、制御部１０は、再生対象の各投稿動画について決定した再生順と再生時間長とに基づき、対象楽曲の各非歌唱時間帯の最初に再生する投稿動画と、各非歌唱時間帯内で連続して再生する投稿動画の数とを決定し、メインルーチンに戻る。具体的には、図７（ａ）に例示されるような再生時間割を決定する。図７（ａ）の事例は、図６（ｂ）に例示される投稿動画の再生時間長に基づき、前奏、間奏、後奏の各非歌唱時間帯について、最初に再生する投稿動画（開始動画番号）と、連続して再生する投稿動画の数（連続再生数）とを決定したものである。
【００４９】
図７（ａ）の事例では、対象楽曲の最初の非歌唱時間帯に該当する前奏期間について、図６（ｂ）において再生順が１位の投稿動画（動画番号３３３３３）が、最初に再生される投稿動画に決定される。このとき、前奏の非歌唱時間長が２０秒であり、動画番号３３３３３の投稿動画の再生時間長が２０秒であることから、前奏期間には次の投稿動画を再生できる時間が残されていない。そこで、前奏期間内に収めて投稿動画を再生するために許容される連続再生数として「１」が決定される。
【００５０】
つぎに、対象楽曲の２番目の非歌唱時間帯に該当する間奏期間について、図６（ｂ）において再生順が２位の投稿動画（動画番号５５５５５）が、最初に再生される投稿動画に決定される。このとき、間奏の非歌唱時間長が３０秒であり、動画番号５５５５５の投稿動画の再生時間長が２０秒であることから、間奏期間には次の投稿動画を再生できる時間が１０秒残されている。この場合、再生順が３位と４位の２つの投稿動画（動画番号１１１１１，６６６６６）の再生時間長がそれぞれ５秒ずつであるから、３つの投稿動画を連続して間奏期間内に収めて再生可能である。そこで、間奏期間内に収めて投稿動画を再生するために許容される連続再生数として「３」が決定される。
【００５１】
つぎに、対象楽曲の３番目の非歌唱時間帯に該当する後奏期間について、図６（ｂ）において再生順が５位の投稿動画（動画番号７７７７７）が、最初に再生される投稿動画に決定される。このとき、後奏の非歌唱時間長が１０秒であり、動画番号７７７７７の投稿動画の再生時間長が５秒であることから、後奏期間には次の投稿動画を再生できる時間が５秒残されている。この場合、再生順が８位の投稿動画（動画番号８８８８８）の再生時間長が５秒であるから、２つの投稿動画を連続して後奏期間内に収めて再生可能である。そこで、後奏期間内に収めて投稿動画を再生するために許容される連続再生数として「２」が決定される。
【００５２】
なお、図６（ｂ）において再生順が９位の投稿動画（動画番号９９９９９）については、対象楽曲の非歌唱時間帯内に収めて再生することができない。この場合、例えば、対象楽曲の演奏が完了してから次の楽曲の演奏が開始されるまでの期間に再生したり、次の楽曲の演奏時に先頭で再生するように制御して補うことが考えられる。
【００５３】
図７（ａ）に例示される投稿動画の再生時間割を、演奏される対象楽曲（曲番号ＪＪＪ）の演奏の進行を示すタイムチャート上に記したものを図７（ｂ）に例示する。図７（ｂ）に例示されるとおり、楽曲の前奏期間の演奏が始まる時点Ａにおいて、動画番号３３３３３の投稿動画の再生が開始される。前奏期間中には、動画番号３３３３３の投稿動画が２０秒間再生される。
【００５４】
つぎに、前奏期間終了後の歌唱期間には、例えば風景映像や一般広告映像が再生される。そして、歌唱期間終了後の間奏期間が始まる時点Ｂにおいて、動画番号５５５５５の投稿動画の再生が開始される。間奏期間中には、動画番号５５５５５，１１１１１，６６６６６の３つの投稿動画が連続して再生される。間奏期間中には、３つの投稿動画がそれぞれ２０秒間、５秒間、及び５秒間再生される。
【００５５】
つぎに、間奏期間終了後の歌唱期間には、風景映像や一般広告映像等が再生される。そして、歌唱期間終了後の後奏期間が始まる時点Ｃにおいて、動画番号７７７７７の投稿動画の再生が開始される。後奏期間中には、動画番号７７７７７，８８８８８の２つの投稿動画が連続して再生される。後奏期間中には、２つの投稿動画がそれぞれ５秒間ずつ再生される。
【００５６】
なお、図７（ａ）に例示される再生時間割では、前奏、間奏、後奏の各非歌唱時間帯内に投稿動画を時間の過不足なく再生できるようになっているが、必ずしもそのようになるとは限らない。例えば、非歌唱時間長が２５秒であるのに対して、各投稿動画の再生時間長が１０秒と設定されていた場合、２つの投稿動画を連続して再生すると決定したときに５秒の余りが生じることになる。このようなケースに対して、以下の（１）〜（３）のようにすることが考えられる。
【００５７】
（１）余り時間を次の投稿動画に割当て、３つの投稿動画を連続して再生する。この場合、余り時間を割当てられた投稿動画を、前の２つの投稿動画から連続して設定された再生時間長で再生すると非歌唱時間帯内に収まらない。しかし、この事例では、投稿動画の再生時間長の一部が、非歌唱時間帯を超えて次の歌唱期間に及ぶことを許容する。
【００５８】
（２）余り時間を切り捨てて、２つの投稿動画を連続して再生する。このようにすることで、非歌唱時間帯に対応付けて再生される投稿動画の再生時間長を、非歌唱時間帯内に必ず収めることができる。
【００５９】
（３）余り時間が出ないように、再生対象の投稿動画の再生時間長を非歌唱時間長に対して時間の過不足がないように再調整する。このようにすることで、非歌唱時間帯に対応付けて再生される投稿動画の再生時間長を、非歌唱時間帯内に時間の過不足なく収めることができる。
【００６０】
図２のフローチャートの説明に戻る。Ｓ１１４では、制御部１０は、Ｓ１０６で取得した予約リストに示される楽曲の中で、投稿動画の再生時間割を決定していない未処理の楽曲が存在するか否かを判定する。未処理の楽曲が存在する場合（Ｓ１１４：ＹＥＳ）、制御部１０はＳ１１０に戻る。一方、未処理の楽曲が存在しない場合（Ｓ１１４：ＮＯ）、制御部１０はＳ１００に戻る。
【００６１】
一方、Ｓ１００において、カラオケ装置２から非歌唱状態通知を受信した場合（Ｓ１００：非歌唱状態）、制御部１０はＳ１１６に進む。非歌唱状態通知は、カラオケ装置２で進行している楽曲の演奏において、歌唱のない演奏部分の演奏が開始されるタイミングで、カラオケ装置２から動画再生装置１に送信される情報である。この非歌唱状態通知には、例えば、演奏中の楽曲の曲番号や、演奏が開始される非歌唱時間帯を特定する情報が含まれる。Ｓ１１６では、制御部１０は、演奏中の楽曲において演奏が開始される非歌唱時間帯に対して決定された再生時間割（図７（ａ）参照）に従い、記憶部１１に記憶されている投稿動画の中から再生対象の投稿動画を順次再生する。制御部１０は、再生時間割で示される開始動画番号に該当する投稿動画から再生を開始し、連続再生数で示される数の投稿動画を決められた再生順で順次再生する。ここでは、制御部１０は、各投稿動画を再生時間割において規定されている各投稿動画の再生時間長分ずつ再生する。再生する投稿動画の部位は、投稿動画の冒頭から再生時間長分を抽出した部分でもよいし、投稿動画の途中の箇所から再生時間長分を抽出した部分でもよい。
【００６２】
次のＳ１１８では、制御部１０は、演奏される非歌唱時間帯を示す設定を、先のＳ１１６で投稿動画を再生したときの非歌唱時間帯から次の非歌唱時間帯に移動し、Ｓ１００に戻る。一方、Ｓ１００において、投稿動画を再生する以外の通常の再生を行う場合（Ｓ１００：通常再生時）、制御部１０はＳ１２０に進む。Ｓ１２０では、制御部１０は、記憶部１１に記憶されている風景映像や一般広告映像等のコンテンツを再生する。なお、Ｓ１２０では、投稿動画を再生しない期間中に風景映像や一般広告映像を再生する代わりに、何も再生しない構成であってもよい。一方、Ｓ１００において、システムの動作を終了する場合（Ｓ１００：終了）、制御部１０は本処理を終了する。
【００６３】
つぎに、動画再生装置１の制御部１０が実行する抽出処理の手順について、図８のフローチャートを参照しながら説明する。この処理は、上述の再生時間割決定処理（図５参照）のＳ２００において実行されるサブルーチンである。
【００６４】
Ｓ３００では、制御部１０は、対象楽曲をリクエストしたログインユーザにより指定された動画抽出条件に応じて処理を分岐する。ここで扱う動画抽出条件は、上述のメイン処理（図２参照）のＳ１０８においてカラオケ装置２から取得したものである。Ｓ３００において、動画抽出条件が「演奏曲関連動画モード」である場合（Ｓ３００：再生曲関連動画モード）、制御部１０はＳ３０２に進む。Ｓ３０２では、制御部１０は、投稿動画リスト（図３参照）の中から、カラオケ装置２で演奏される対象楽曲の属性と適合する属性の投稿動画を抽出する。具体的には、楽曲の属性として、対象楽曲の曲番号と一致する曲番号が対応付けられた投稿動画を投稿動画リストから抽出する。あるいは、曲番号の代わりに、アーティストが一致する投稿動画を抽出する構成であってもよい。
【００６５】
一方、Ｓ３００において、動画抽出条件が「利用履歴関連動画モード」である場合（Ｓ３００：利用履歴関連動画モード）、制御部１０はＳ３０４に進む。Ｓ３０４では、制御部１０は、対象楽曲をリクエストしたログインユーザに関する利用履歴を示す履歴情報をセンタサーバ４から取得する。利用履歴は、ユーザがカラオケサービスによって提供される楽曲又は投稿動画等のコンテンツを過去に利用した履歴である。センタサーバ４は、ユーザが歌唱した楽曲や視聴した投稿動画等が記録された利用履歴ログをカラオケ装置２から取得し、利用履歴ログに対応付けられているユーザに関する利用履歴として記憶する。センタサーバ４は、動画再生装置１からの利用履歴の取得要求に応じて、取得要求に該当するユーザに関する利用履歴を要求元の動画再生装置１に送信する。
【００６６】
次のＳ３０６では、制御部１０は、投稿動画リスト（図３参照）の中から、Ｓ３０４で取得した利用履歴で示される楽曲や投稿動画の属性と適合する属性の投稿動画を抽出する。具体的には、対象楽曲をリクエストしたログインユーザが過去に歌唱した楽曲の曲番号と一致する曲番号が対応付けられた投稿動画を、再生対象の投稿動画として投稿動画リストから抽出する。また、対象楽曲をリクエストしたログインユーザが過去に視聴した投稿動画に対応付けられた曲番号と一致する曲番号が対応付けられた投稿動画を、再生対象の投稿動画として投稿動画リストから抽出する。また、対象楽曲をリクエストしたログインユーザが過去に視聴した投稿動画の歌唱者と一致するユーザによって歌唱された投稿動画を、再生対象の投稿動画として投稿動画リストから抽出してもよい。
【００６７】
一方、Ｓ３００において、動画抽出条件が「コラボ動画モード」である場合（Ｓ３００：コラボ動画モード）、制御部１０はＳ３０８に進む。Ｓ３０８では、制御部１０は、投稿動画リスト（図３参照）の中から、コラボレーションが行われた投稿動画を抽出する。具体的には、投稿動画リストの「コラボ動画」の情報項目に該当すると記録されている投稿動画を、再生対象の投稿動画として投稿動画リストから抽出する。
【００６８】
一方、Ｓ３００において、動画抽出条件が「コラボ希望動画モード」である場合（Ｓ３００：コラボ希望動画モード）、制御部１０はＳ３１０に進む。Ｓ３１０では、制御部１０は、投稿動画リスト（図３参照）の中から、コラボレーションで再利用されることが許可されている投稿動画を抽出する。具体的には、投稿動画リストの「コラボ希望」の情報項目に該当すると記録されている投稿動画を、再生対象の投稿動画として投稿動画リストから抽出する。
【００６９】
一方、Ｓ３００において、動画抽出条件が「高得点動画モード」である場合（Ｓ３００：高得点動画モード）、制御部１０はＳ３１２に進む。Ｓ３１２では、制御部１０は、投稿動画リスト（図３参照）の中から、歌唱採点機能による採点結果が高得点である投稿動画を抽出する。具体的には、投稿動画リストの「高得点」の情報項目に該当すると記録されている投稿動画を、再生対象の投稿動画として投稿動画リストから抽出する。
【００７０】
一方、Ｓ３００において、動画抽出条件が「高人気動画モード」である場合（Ｓ３００：高人気動画モード）、制御部１０はＳ３１４に進む。Ｓ３１４では、制御部１０は、投稿動画リスト（図３参照）の中から、ユーザからの人気が高い投稿動画を抽出する。具体的には、投稿動画リストの「人気」の情報項目に該当すると記録されている投稿動画を、再生対象の投稿動画として投稿動画リストから抽出する。
【００７１】
一方、Ｓ３００において、動画抽出条件が「お勧め動画モード」である場合（Ｓ３００：お勧め動画モード）、制御部１０はＳ３１６に進む。Ｓ３１６では、制御部１０は、投稿動画リスト（図３参照）の中から、運営者がお勧めする投稿動画を抽出する。具体的には、投稿動画リストの「お勧め」の情報項目に該当すると記録されている投稿動画を、再生対象の投稿動画として投稿動画リストから抽出する。
【００７２】
Ｓ３０２，Ｓ３０６〜Ｓ３１６の次に進むＳ３１８では、制御部１０は、抽出した再生対象の投稿動画を所定の基準に基づく再生順に整列させ、メインルーチンに戻る。具体的には、優先度が「高」の投稿動画を上位に、かつ、同じ優先度の投稿動画の中で、投稿時期が早い投稿動画ほど上位になるように整列させる。ここで整列させた投稿動画の順序が、これらの投稿動画を再生するときの再生順となる。
【００７３】
［効果］
実施形態の動画再生装置１によれば、以下の効果を奏する。
カラオケ装置２により演奏される楽曲の歌唱がない期間に、カラオケ装置２を利用するユーザに投稿動画を提示できる。ユーザが歌唱しない合間を利用して投稿動画を提示することで、歌唱中でないユーザが投稿動画の内容を無理なく確認できるうえ、投稿動画の確認のために歌唱するための時間を費やさせることもない。そのため、投稿動画の内容を効率よくユーザに紹介でき、投稿動画の利用を促進できる。
【００７４】
また、限られた非歌唱時間帯に複数の投稿動画を再生するときに、１つの投稿動画にユーザが投稿動画の内容を把握できる最低限の再生時間（例えば、５秒間）を満たす再生時間割を決定できる。このとき、前奏、間奏、後奏といった各非歌唱時間長に対して再生を許容する投稿動画の連続再生数を決定することができる。具体的には、再生時間長が非歌唱時間長に収まるように連続再生数を決定したり、非歌唱時間長を多少超えることを許容して非歌唱時間長を全て投稿動画の再生に使い切るように連続再生数を決定できる。
【００７５】
また、優先度が「高」に設定された投稿動画の再生時間長を、優先度が「低」に設定された投稿動画の再生時間長よりも長くするといった具合に、投稿動画に付与された優先度に応じた柔軟な態様で投稿動画の再生時間長を決定できる。また、カラオケ装置２を利用するユーザが様々な動画抽出条件を選択できるようになっている。これにより、ユーザのニーズに適合する投稿動画を選んで再生することができ、投稿動画に対するユーザの興味をより効果的に喚起できる。
【００７６】
［変形例］
上述の実施形態では、動画再生装置１が、センタサーバ４から投稿動画と投稿動画リストとをダウンロードして記憶部１１に保存しておき、記憶部１１に保存されている投稿動画を再生する構成について説明した。これとは別に、投稿動画リストを先に取得して再生する投稿動画を決定してから、センタサーバ４から投稿動画データを受信しながら同時に再生するストリーミング再生を行う構成であってもよい。
【００７７】
優先度が「高」に設定されている投稿動画を再生するとき、動画再生装置１が表示内容に何らかの特典を付与してもよい。例えば、投稿動画の映像に強調表示を施したり、投稿動画が制作されたときに歌唱者が入力したメッセージを、投稿動画の映像に重ねて表示することが考えられる。なお、歌唱者のメッセージは、投稿動画リストの情報項目の１つとして予め記録しておくことが考えられる。
【００７８】
［特許請求の範囲に記載の構成との対応］
実施形態に記載の構成と、特許請求の範囲に記載の構成との対応は次のとおりである。
制御部１０及び通信部１２が、取得手段、演奏情報取得手段、及び、履歴取得手段に相当する。制御部１０が、選択手段、決定手段、再生手段、及び、基準決定手段に相当する。記憶部１１が、記憶手段、優先度記憶手段、及び、属性記憶手段に相当する。
【符号の説明】
【００７９】
１…動画再生装置、１０…制御部、１１…記憶部、１２…通信部、１３…映像制御部、１５…サブディスプレイ、２…カラオケ装置、２１…メインディスプレイ、３…リモコン端末、４…センタサーバ、ＡＰ…無線ＬＡＮアクセスポイント、ＢＲ…ルータ。
【図１】
2014215305.tif 000003
【図２】
2014215305.tif 000004
【図３】
2014215305.tif 000005
【図４】
2014215305.tif 000006
【図５】
2014215305.tif 000007
【図７】
2014215305.tif 000008
【図８】
2014215305.tif 000009
【図６】
2014215305.tif 000010